(57)【特許請求の範囲】
【請求項１】
魚釣りに用いる釣竿であって、
竿体と、
前記竿体周面に配置されリールを装着可能なリールシートとを備え、
前記リールシートは、前記竿体周面に配置された本体部と、前記本体部の穂先側に設けられ前記リールの脚部の一端を係止可能な固定係止部と、前記固定係止部に連続して軸方向竿元側に伸びた舌状部と、前記舌状部に形成された溝部と、
前記舌状部に形成されたレール部と、前記固定係止部および舌状部に形成された溝部を連続して覆うように配置されたカバー部材と、前記舌状部上を前記レール部に沿って軸方向に滑動可能に形成され前記リールの脚部の他端を係止可能な可動係止部とを有し、
前記本体部，固定係止部，舌状部，溝部及びレール部は、竿体に射出成形され竿体と一体成型されている釣竿。
【請求項２】
前記レール部は前記舌状部の両側面に軸方向に形成されている、請求項１に記載の釣竿。
【請求項３】
前記カバー部材は金属製部材である、請求項１または２に記載の釣竿。
【請求項４】
前記カバー部材は合成樹脂製部材、請求項１または２に記載の釣竿。
【発明の詳細な説明】
【０００１】
【発明の属する技術分野】
本発明は、魚釣りに用いる釣竿に関する。
【０００２】
【従来の技術】
従来の釣竿は、竿体と、竿体の外周面の所定の位置に射出成型されリールを装着可能なリールシートとを有するものがある。このリールシートは、竿体周面に配置された筒状の本体部と、本体部の穂先側に設けられ前記リールの脚部の一端を係止可能な固定係止部と、本体部に軸方向に形成されたレール部と、レール部に沿って軸方向に滑動可能に形成されリールの脚部の他端を係止可能な可動係止部と、可動係止部を所定の位置にロック可能なロック部を有している。
【０００３】
この釣竿では、リールシートが竿体に射出成型されており、竿体と一体化しているので、リールシートと竿体との密着接触性が向上し、耐久性に優れる。
【０００４】
【発明が解決しようとする課題】
リールシートにリールを安定した状態で装着するには、固定係止部と可動係止部との位置を正確に整合させる必要がある。この固定係止部と係止可動部との整合性を高めるためには、固定係止部と係止可能部が滑動するレール部とを一体化して射出成型することが考えられる。
【０００５】
しかし、固定係止部と係止可能部が滑動するレール部とを一体化して射出成型すると、固定係止部からレール部にかけて肉厚の部材が設けられることになる。
この肉厚の部材には、成形後の放冷時に熱ひずみが発生し、固定係止部と係止可能部が滑動するレール部との整合性が崩れてしまう場合がある。
本発明の課題は、固定係止部と係止可能部との整合性が高く、耐久性に優れるリールシートを提供することにある。
【０００６】
【課題を解決するための手段】
発明１にかかる釣竿は、魚釣りに用いる釣竿であって、竿体と、竿体周面に配置されリールを装着可能なリールシートとを備えている。そして、リールシートは、竿体周面に配置された本体部と、本体部の穂先側に設けられリールの脚部の一端を係止可能な固定係止部と、固定係止部に連続して軸方向竿元側に伸びた舌状部と、舌状部に形成された溝部と、舌状部に形成されたレール部と、固定係止部および舌状部に形成された溝部を連続して覆うように配置されたカバー部材と、舌状部上をレール部に沿って軸方向に滑動可能に形成されリールの脚部の他端を係止可能な可動係止部とを有している。
【０００７】
この場合には、リールシートの本体部等が竿体に射出成型されており、竿体と一体化しているので、リールシートと竿体との密着接触性が高く、耐久性が向上する。さらに、固定係止部に連続して形成された舌状部が、固定係止部と舌状部上に配置される可動係止部との整合性を高め、リールを安定した状態で取付けることが可能である。ここで、舌状部には溝部が形成されており、肉厚の厚い部分が形成されない。この溝部が舌状部の成形後の素材放冷時に生じる熱ひずみを抑え、舌状部が変形してしまうのを防止する。この結果、固定係止部と可動係止部との整合性の低下を防止できる。
【０００８】
また、放冷後には、固定係止部から溝部を覆うようにカバー部材が取り付けられるので、溝部を形成したことによる強度の低下も防止でき、耐久性を十分に高めることができる。また、意匠性も向上する。
発明２にかかる釣竿は、発明１の釣竿であって、レール部は舌状部の両側面に軸方向に形成されている。
【０００９】
この場合には、軸方向に形成されたレール部に沿って可動係止部が軸方向へ滑動するので、リールの取付が容易になる。
発明３にかかるルアーは、発明１または２釣竿であって、カバー部材は金属製部材である。
発明４にかかる釣竿は、発明１または２の釣竿であって、カバー部材は合成樹脂製部材である。
【００１０】
【発明の実施の形態】
以下、本発明の一実施形態について、図面を参照しつつ説明する。
（構成）
本発明の一実施形態を採用した釣竿１０は、図１に示すように、外部竿体１と、外部竿体１の穂先側に外部竿体１内に収納可能なように連結された複数の内部竿体２とを有している。
【００１１】
外部竿体１は、竿尻側端部に設けられたグリップ３と、グリップ３よりやや穂先側の外周面に設けられリール５が装着可能なリールシート４と、リールシート４の穂先側の外周面に設けられリール５からの釣糸Ｌを竿体内部に挿入する釣糸導入孔６とを有している。内部竿体２は、複数の竿体が順次挿入して収納可能になっており、穂先側先端にはトップガイド７が設けられている。そして、リール５から導かれた釣糸Ｌは、釣糸導入孔６から外部竿体１及び内部竿体２内に導入され、トップガイド７から外部へ導かれる。
【００１２】
図２〜４に示すように、リールシート４は、外部竿体１周面に配置された筒状の本体部２１と、本体部２１の穂先側に設けられリール５の脚部の一端を係止可能な固定フード２２と、固定フード２２に連続して軸方向竿元側に伸びた舌状部２３と、舌状部２３に軸方向に形成された一対の溝部２４と、舌状部２３の両側面に軸方向に形成されたレール部２５と、固定フード２２および舌状部２３に形成された溝部２４を連続して覆うように配置されたカバー部材３０とを有している。そして、舌状部２３上には、リール５の脚部の他端を係止可能な可動フード２６がレール部２５に沿って軸方向に滑動可能に配置され、可動フード２６には、舌状部２３の所定の位置にロック可能なロック部２７が連結されている。
【００１３】
図３及び図４に示すように、固定フード２２は、リール５の脚部の一端を覆うように、竿元側に開口したフード状の部材である。フード状に本体部２１から突出し、フード状の内部はリール５の脚部の一端が載置可能になっている。
舌状部２３は、固定フード２２に連続して竿元方向に延伸している。固定フード２２から中央付近竿元側までにかけては左右に一対の溝部２４が軸方向に形成されており、幅方向に細身に形成された細身部２３ａとなっている。竿元側端部には溝部２４が形成されておらず、細身部２３ａより幅方向に太い太身部２３ｂが形成されており、この太身部２３ｂには孔２３ｃが形成されている。そして、これら細身部２３ａ及び太身部２３ｂは、後述するレール部２５に比べて窪んで形成されており、後述のカバー部材３０を取り付けることでレール部２５と面一になるように形成されている。
【００１４】
レール部２５は、舌状部２３の両側にそれぞれ左右対称に形成され、幅方向に窪んで形成され可動フード２６を軸方向に滑動可能に係止する係止窪み２５ａを有している。この係止窪み２５ａの上部は左右方向に突出ており、突出部２５ｂとなっている。
なお、これらリールシート４の本体部２１，固定フード２２，舌状部２３，溝部２４及びレール部２５は、外部竿体１の外周の所定の位置に設けられた補強樹脂層４０（図５参照）上に射出成型によって一体成形されている。この補強樹脂層４０は、周方向に配向されたガラス繊維を含有するガラス繊維強化樹脂である。そして、ガラス樹脂層の外周面には長さ方向に複数の溝が形成されている
図２に示すように、カバー部材３０は、固定フード２２，舌状部２３の細身部２３ａ及び溝部２４を連続して覆うように形成された合成樹脂製の部材である。
外部竿体１の所定の位置に、本体部２１，固定フード２２，舌状部２３，溝部２４及びレール部２５が一体で射出成型された後に、溝部２４にはめ込まれるようにして接着剤等で接着され固定されている。また、舌状部２３の太身部２３ｂには、固定板３１が固定される。この固定板３１は、板状の金属製部材であり、表面に形成された係止溝３１ａと、背面に形成され舌状部２３の孔２３ｃにはめ込み可能な凸部３１ｂを有している。この固定板３１は、孔２３ｃに凸部３１ｂをはめ込んで所定の位置に固定されている。
【００１５】
可動フード２６はリール５の脚部の他端を覆うように、穂先側に開口したフード状の部材である。フード状の内部はリール５の脚部の一端が載置可能になっている。可動フード２６はレール部２５の係止窪み２５ａに係止され、レール部２５に沿って軸方向に滑動可能になっている。また、可動フード２６の竿元側にはロック部２７が設けられており、必要に応じて固定板３１上の固定溝３１ａにロック可能になっている。
【００１６】
（製造方法）
以下に、外部竿体１にリールシート４を形成する製法を説明する。
まず、図５（ａ）に示すように、マンドレル５０の周面に離型剤を塗布し、さらに離型テープ（図示せず）を巻回する。そして、離型テープの外周に繊維強化樹脂からなる複数のプリプレグテープ１０１〜１０３を順次巻回する。このプリプレグテープは、後に外部竿体１を形成することになるものである。ここで巻回するプリプレグテープ１０１〜１０３は、炭素繊維やガラス繊維が混入され強化された樹脂製テープである。そして、例えば、最内層のプリプレグテープ１０１はマンドレル５０の周方向に繊維が配向するように巻回し、他のプリプレグテープ１０２，１０３はマンドレル５０の長さ方向に繊維が配向するように巻回する。
【００１７】
続いて、これらプリプレグテープ１０１〜１０３の外周のリールシート４を形成すべき位置に、補強用プリプレグテープ１１０を巻回する。この補強用プリプレグテープ１１０は、後に補強樹脂層４０を形成することになるものである。この補強用プリプレグテープ１１０は、前記プリプレグテープ１０１〜１０３と同様に、炭素繊維やガラス繊維が混入された樹脂製テープである。そして、マンドレル５０の周方向に繊維が配向するように巻回する。この補強用プリプレグテープ１１０を巻回後に、保護用テープ（図示せず）をさらに巻回し、焼成する。
【００１８】
なお、これらプリプレグテープ１０１〜１０３及び補強用プリプレグテープ１１０は焼成後融着し一体化するが、各図においては、必要に応じて、それぞれ外部竿体１，補強樹脂層４０として個別に示している。
焼成後、マンドレル５０を抜き取り、離型テープ, 保護用テープを順次剥離する。そして、図５（ｂ）に示すように、補強樹脂層４０の外周面を研削して、長さ方向に複数の溝を形成し、凹凸面４０ａを形成する。この溝の幅は約１．０±０．１ｍｍであり、深さは０．０５〜０．２ｍｍ程度である。
【００１９】
続いて、図５（ｃ）に示すように、補強樹脂層４０の外部に金型２００を配置する。この金型２００は、１対の半割り部材２００ａ，２００ｂと、中子部材２００ｃとを有している。この中子部材２００ｃはリールシート４の固定フード２２を形成するためのものであり、一対の半割り部材２００ａ，２００ｂ内を長さ方向に移動自在になっている。金型２００を所定の位置に配置した後、金型２００と外部竿体１との空間に加熱した熱可塑性樹脂を加圧注入し、リールシート４の本体部２１，固定フード２２，舌状部２３，溝部２４及びレール部２５一体で形成する。熱可塑性樹脂は、補強樹脂層４０上の凹凸面４０ａに入り込み、図５（ｄ）に示すように、その後冷却されて収縮固化して強化樹脂層４０に強固に密着接触する。
【００２０】
その後、本体部２１等及び外部竿体１の表面を研磨加工し、塗材を塗布して表面処理を行い、所定の位置にカバー部材３０，固定板３１を固定し、さらに可動フード２６，ロック部２７を取り付ける。
このような構成を有する釣竿では、リールシート４の本体部２１等が外部竿体１に射出成形され一体化しているので、リールシート４の外部竿体１に対する安定性が向上する。ここで、本体部２１等の一体成型時に固定フード２２と舌状部２３が連続して一体化されており、この舌状部２３に可動フード２６が滑動するレール部２５が形成されているので、固定フード２２と可動フード２６との整合性が向上し、リール５の取付が安定する。
【００２１】
また、舌状部２３には軸方向に溝部２４が形成されており、舌状部２３には肉厚の厚い部分が形成されない。この結果、射出成形後の素材放冷時に生じる熱ひずみを抑えられ、固定フード２２とレール部２５との位置の整合性の低下を防止でき、さらにリール５の取付が安定する。放冷後には、溝部２４を覆うようにカバー部材３０が取り付けられるので、溝部２４を形成したことによる強度の低下も防止でき、耐久性を十分に高めることができる。また、カバー部材３０を取り付けることにより意匠性も向上する。
【００２２】
［他の実施形態］
（ａ）カバー部材は合成樹脂製部材に金属風のメッキ処理を施してもよい。カバー部材は本体部等と別部材であるので、メッキ処理が容易になる。
（ｂ）カバー部材を金属製部材とすれば、耐久性がさらに向上する。
（ｃ）溝部は軸方向に形成するものに限定されない。幅方向に複数の溝部を形成してもよい。
（ｄ）舌状部にネジ山を設けて、これをレール部としてもよい。この場合は、ネジ山上を回転しながら軸方向へ移動可能な移動係止部を用いる。
【００２３】
【発明の効果】
以上のように、本発明にかかる釣竿では、リールシートの舌状部が、固定係止部と可動係止部との整合性を向上させ、リールが安定した状態で取り付けられる。また、舌状部には溝部が設けられているので、射出成型時に生じる熱ひずみを抑え、整合性の低下を防止できる。さらにこの溝部をカバー部材が覆っているので、強度の低下を防止でき、意匠性も向上する。
【図面の簡単な説明】
【図１】本発明の一実施形態を採用した釣竿の全体図。
【図２】図１のリールシート付近の拡大図。
【図３】カバー部材を取り付ける前のリールシートの側面図。
【図４】カバー部材を取り付ける前のリールシートの側面図。
【図５】竿体及びリールシートの製造段階を示す図であって、（ａ）プリプレグテープを巻回した状態を示す図、（ｂ）凹凸面を設けた状態を示す図、（ｃ）金型を装着する際を示す図、（ｄ）リールシート成形後を示す図。
【符号の説明】
１０  釣竿
１  外部竿体
４  リールシート
２１  本体部
２２  固定フード
２３  舌状部
２４  溝部
２５  レール部
２６  可動フード
２７  ロック部
３０  カバー部材
【図１】
0003888596.tif 000002
【図２】
0003888596.tif 000003
【図３】
0003888596.tif 000004
【図４】
0003888596.tif 000005
【図５】
0003888596.tif 000006